(57)【要約】【課題】全体的な輝度を低下させず、消費電力を節減する。【解決手段】内部に設けられ、第１光を発生する光発生部１００、及び第１光又は外部から提供される第２光の提供を受けて画像を表示する表示部３００を備える。光感知部５００は、外部から表示部３００に入射される第２光の光量に対応する電流ＰＣを出力し、該電流に応じて比較判定部６００は感知信号ＳＳ１又はＳＳ２を出力し、第１駆動部２００は、該感知信号に応答して光発生部１００をオン又はオフさせる。外部光に応じて内部で発生される光をオンオフするので、表示装置の全体的な輝度を低下させず、消費電力を節減することができる。【選択図】図１
2005148735.tif 000002
【特許請求の範囲】
【請求項１】
第１光を発生する光発生部と、
前記光発生部からの前記第１光又は外部から提供される第２光の提供を受けて画像を表示する表示部と、
外部から前記表示部に入射される前記第２光の光量に対応して感知信号を出力する感知部と、
前記感知信号に応答して前記光発生部の駆動を制御する第１駆動部と、
を含むことを特徴とする表示装置。
【請求項２】
前記第１駆動部は、前記感知信号に応答して前記光発生部をオン又はオフさせることを特徴とする請求項１記載の表示装置。
【請求項３】
前記第１駆動部は、前記第２光の光量が予め設定された基準値より小さいとき、前記光発生部をオンさせるための第１制御信号を出力し、前記第２光の光量が前記基準値より大きいとき、前記光発生部をオフさせるための第２制御信号を出力することを特徴とする請求項２記載の表示装置。
【請求項４】
前記第１駆動部は、前記感知信号に応答して前記光発生部から出力される前記第１光の光量を調節することを特徴とする請求項１記載の表示装置。
【請求項５】
前記第１駆動部は、前記第２光の光量が予め設定された基準値より小さいとき、小さくなった分だけ前記第１光の光量を減少させるための第１制御信号を出力し、前記第２光の光量が前記基準値より大きいとき、大きくなった分だけ前記第１光の光量を増加させるための第２制御信号を出力することを特徴とする請求項４記載の表示装置。
【請求項６】
前記表示部は、透過電極を通じて前記第１光を透過して画像を表示する透過モード、及び反射電極を通じて前記第２光を反射して画像を表示する反射モードで動作されることを特徴とする請求項１記載の表示装置。
【請求項７】
前記第２駆動部は、
前記感知信号に応答して前記表示部のモードを決定する第１モード選択信号及び第２モード選択信号を出力するモード変換部と、
前記第１モード選択信号に応答して透過ガンマを出力する第１ガンマ回路部と、
前記第２モード選択信号に応答して反射ガンマを出力する第２ガンマ回路部と、
前記透過ガンマに応答して前記透過電極に透過階調電圧を出力し、前記反射ガンマに応答して前記反射電極に反射階調電圧を出力する階調抵抗部と、
を含むことを特徴とする請求項６記載の表示装置。
【請求項８】
前記第１ガンマ回路部は、直列に接続された多数の透過抵抗で構成され、前記透過抵抗が接続された地点の電位を前記透過ガンマとして出力し、
前記第２ガンマ回路部は、前記透過抵抗と異なる抵抗値を有し、直列に接続された多数の反射抵抗で構成され、前記反射抵抗が接続された地点の電位を前記反射ガンマとして出力する
ことを特徴とする請求項７記載の表示装置。
【請求項９】
前記階調抵抗部は、多数の階調抵抗で構成され、前記階調抵抗が接続された地点の電位のうち、前記透過ガンマに対応する電位を前記透過階調電圧として出力し、前記階調抵抗が接続された地点の電位のうち、前記反射ガンマに対応する電位を前記反射階調電圧として出力することを特徴とする請求項８記載の表示装置。
【請求項１０】
前記モード変換部は、前記第２光の光量が既に設定された基準値より小さいと、前記表示部が前記透過モードで動作するように前記第１モード選択信号を出力し、前記第２光の光量が前記基準値より大きいと、前記表示部が前記反射モードで動作するように制御する前記第２モード選択信号を出力することを特徴とする請求項７記載の表示装置。
【請求項１１】
前記表示部は、絶縁層を挟んで前記透過電極及び反射電極と向かい合うストレージ電極を更に含むことを特徴とする請求項６記載の表示装置。
【請求項１２】
前記第２駆動部は、
前記表示部が前記透過モードで動作する時、前記ストレージ電極に第１共通電圧を出力する第１共通電圧発生部と、
前記表示部が反射モードで動作する時、前記ストレージ電極に第２共通電圧を出力する第２共通電圧発生部と、
を更に含むことを特徴とする請求項１１記載の表示装置。
【請求項１３】
前記表示部は、透過電極で構成された透過型表示部であり、
前記表示部と前記光発生部との間に介在され前記第１光を透過させ、前記第２光は反射する半透過部を更に含む
ことを特徴とする請求項１記載の表示装置。
【請求項１４】
前記表示部は、反射電極で構成された反射型表示部であり、
前記表示部は、前記光発生部からの前記第１光及び前記外部から提供される第２光を反射して画像を表示する
ことを特徴とする請求項１記載の表示装置。
【発明の詳細な説明】
【技術分野】
【０００１】
本発明は表示装置に関し、より詳細には、全体的な輝度を低下させず、消費電力を節減することができる表示装置に関するものである。
【背景技術】
【０００２】
一般に、液晶表示装置は、光を用いて画像を表示する液晶表示パネルを含む。光は、太陽又は照明等により液晶表示装置の外部から提供された外部光や、液晶表示装置内部で生成される内部光である。
液晶表示装置に用いられる光は、液晶表示装置の画面の明るさを決定する重要な要因になる。従って、液晶表示装置は、外部光が充分な所では外部光により画像を表示することができるが、外部光が足りない所では、内部光により画像を表示することができるようにバックライトアセンブリを更に具備する。
液晶表示装置を駆動するために消費される電力の約７０％がバックライトアセンブリで消費される。特に、携帯電話、ノートパソコン、及びＰＤＡのような高節電を要求する携帯用装置では、バックライトアセンブリで消費される電力を減少させる構造が要求される。
【発明の開示】
【発明が解決しようとする課題】
【０００３】
液晶表示装置の消費電力を減少させるために、バックライトアセンブリに提供される電力を減少させると、バックライトアセンブリから出射される内部光の光量が減少して液晶表示装置の全体的な輝度が低下する。
従って、本発明の目的は、全体的な輝度を低下させず、消費電力を節減することができる表示装置を提供することにある。
【課題を解決するための手段】
【０００４】
本発明の一特徴による表示装置は、光発生部、表示部、感知部、及び第１駆動部を含む。
前記光発生部は第１光を発生し、前記表示部は前記光発生部から前記第１光又は外部から提供される第２光の提供を受けて画像を表示する。前記感知部は、外部から前記表示部に入射される前記第２光の光量に対応して感知信号を出力し、前記第１駆動部は前記感知信号に応答して前記光発生部の駆動を制御する。
【０００５】
このような表示装置によると、第２光の光量が基準値より大きいとき、光発生部をオフさせて表示部は第２光で画像を表示し、第２光の光量が基準値より小さいとき、光発生部をオンさせて表示部は第１光で画像を表示する。これにより、表示装置の全体的な輝度を低下させず、消費電力を節減することができる。
【発明を実施するための最良の形態】
【０００６】
以下、添付図面を参照して、本発明の好ましい実施例をより詳細に説明する。
図１は、本発明の一実施例による液晶表示装置のブロック図であり、図２は、図１に図示された第１駆動部を示す図である。
図１を参照すると、本発明の一実施例による液晶表示装置１０００は、内部光Ｌ１を発生する光発生部１００、前記光発生部１００の駆動を制御する第１駆動部２００、前記内部光Ｌ１又は外部からの外部光Ｌ２を用いて画像（Ｉｍａｇｅ）を表示する表示部３００、及び前記表示部３００を駆動する駆動信号ＤＳを出力する第２駆動部４００を含む。
【０００７】
前記液晶表示装置１０００は、外部から前記表示部１００に提供される前記外部光Ｌ２の光量に対応するフォトカレントＰＣを出力する光感知部５００を更に含む。ここで、前記フォトカレントＰＣは、前記外部光Ｌ２の光量が増加すると、これに対応して増加し、前記外部光Ｌ２の光量が減少すると、これに対応して減少する。
比較判定部６００は、前記光感知部５００から出力された前記フォトカレントＰＣを既に設定された基準値と比較し、その結果に応じて第１感知信号ＳＳ１又は第２感知信号ＳＳ２を出力する。
【０００８】
前記第１駆動部２００は、前記比較判定部６００からの前記第１感知信号ＳＳ１又は第２感知信号ＳＳ２に応答して、前記光発生部１００の駆動を制御する。前記第１駆動部２００は、前記フォトカレントＰＣが前記基準値より小さい場合には、前記比較判定部６００から出力される第１感知信号ＳＳ１に応答して、前記光発生部１００をオンさせるためのターンオン電圧Ｖｏｎを出力する。一方、前記第１駆動部２００は、前記フォトカレントＰＣが前記基準値より大きい場合には、前記比較判定部６００から出力される第２感知信号ＳＳ２に応答して、前記光発生部１００をオフさせるためのターンオフ電圧Ｖｏｆｆを出力する。
従って、前記液晶表示装置１０００は、外部から提供される前記外部光Ｌ２の光量に応じて、前記光発生部１００をオン又はオフさせることにより、前記光発生部１００を駆動するために消費される電力を節減することができる。
【０００９】
又、前記第１駆動部２００を、前記外部光Ｌ２の光量に応じて前記光発生部１００から出力される前記内部光Ｌ１の光量を調節するように構成することができる。即ち、前記第１駆動部２００は、前記フォトカレントＰＣが前記基準値より増加した分だけ前記光発生部１００に提供されるオン電圧Ｖｏｎを減少させて、前記内部光Ｌ１の光量を減少させる。又、前記第１駆動部２００は、前記フォトカレントＰＣが前記基準値より減少した分だけ前記光発生部１００に提供されるオン電圧Ｖｏｎを増加させて前記内部光Ｌ１の光量を増加させる。
【００１０】
図２は、図１に図示された表示部を具体的に示す平面図であり、図３は、図２に図示された表示部の断面図である。
図２及び図３を参照すると、表示部３００は、下部基板３１０、前記下部基板３１０と向かい合う上部基板３２０、及び前記上部基板３２０と下部基板３１０との間に介在される液晶層３３０で構成される。前記表示部３００は、画像を表示する表示領域ＤＡと前記表示領域ＤＡに隣接する周辺領域ＰＡに区分される。
【００１１】
前記表示領域ＤＡ内には、マトリックス形態で多数の画素部ＰＰが全体的に形成される。前記多数の画素部ＰＰのそれぞれに対応して前記下部基板３１０には、ゲートラインＧＬ、前記ゲートラインＧＬと直交するデータラインＤＬ、前記ゲートラインＧＬとデータラインＤＬに接続されたＴＦＴ３１１、前記ＴＦＴ３１１に接続された透過電極３１２、及び前記透過電極３１２上に形成された反射電極３１３が具備される。
【００１２】
前記ＴＦＴ３１１のゲート電極３１１ａは前記ゲートラインＧＬと接続され、ソース電極３１１ｂは前記データラインＤＬと接続され、前記ドレイン電極３１１ｃは前記透過電極３１２及び反射電極３１３と接続される。
又、前記下部基板３１０には、前記透過電極３１２及び反射電極３１３と絶縁層を挟んで向かい合うストレージ電極３１５が更に具備される。前記ストレージ電極３１５には共通電圧が印加される。
【００１３】
一方、前記上部基板３２０には、Ｒ、Ｇ、Ｂ色画素で構成されたカラーフィルタ３２１及び共通電極３２２が具備される。前記共通電極３２２は、前記カラーフィルタ３２１上に形成されて前記透過電極３１２及び反射電極３１３と向かい合う。
ここで、前記反射電極３１３が形成された領域は反射領域ＲＡであり、前記反射電極３１３が形成されなくて前記透過電極３１２が露出される領域は、透過領域ＴＡである。前記表示部３００は、光発生部１００（図１に図示）から提供される内部光Ｌ１を用いて透過電極ＴＡを通じて画像を表示する透過モードで動作するか、外部から提供される外部光Ｌ２を用いて反射領域ＲＡを通じて画像を表示する反射モードで動作することができる。
【００１４】
前記周辺領域ＰＡには、ゲート駆動部４１０及びデータ駆動部４２０で構成された第２駆動部４００が具備される。前記ゲート駆動部４１０は、ゲートラインＧＬと電気的に接続され、外部から提供される各種制御信号に応答して前記ゲートラインＧＬにゲート駆動電圧を出力する。前記データ駆動部４２０は、データラインＤＬと電気的に接続され前記データラインＤＬにデータ電圧を出力する。
結局、前記外部光Ｌ２の光量に応答して前記光発生部１００がターンオンされると、前記表示部３００は、前記内部光Ｌ１を用いる前記透過モードで動作し、前記光発生部１００がターンオフされると、前記表示部３００は、前記外部光Ｌ２を用いる前記反射モードで動作する。
【００１５】
ここでは、前記表示部３００が前記反射領域ＲＡと透過領域ＴＡで構成されたことを図示したが、前記表示部３００を、反射領域ＲＡ又は透過領域ＴＡのみで構成することができる。このような構造については、図１０〜図１２を参照して具体的に説明する。
【００１６】
図４は、本発明の他の実施例による表示装置を示すブロック図である。但し、図４では、図１に図示された構成要素と同じ構成要素に対しては、同じ参照符号を付与して、それに対する具体的な説明は省略する。
図４を参照すると、表示装置１１００は、比較判定部６００からの第３感知信号ＳＳ３又は第４感知信号ＳＳ４に応答して、表示部３００の動作モードを決定する第１モード選択信号ＦＭＳ又は第２モード選択信号ＳＭＳを出力するモード変換部７００を更に含む。第２駆動部４００は、前記モード変換部７００から出力された前記第１モード選択信号ＦＭＳ又は第２モード選択信号ＳＭＳに応答して、第１駆動信号ＦＤＳ又は第２駆動信号ＳＤＳを出力する。従って、前記表示部３００は、前記第１駆動信号ＦＤＳ又は第２駆動信号ＳＤＳに応答して画像を表示する。
【００１７】
前記表示部３００が動作するモードは、透過領域ＴＡ（図３に図示）で画像を表示する透過モードと、反射領域ＲＡ（図３に図示）で画像を表示する反射モードで構成される。前記信号伝送部６００は、前記フォトカレントＰＣが前記基準値より小さい時、前記第３感知信号ＳＳ３を出力し、前記基準値より大きい時、前記第４感知信号ＳＳ４を出力する。一方、前記モード変換部７００は、前記第３感知信号ＳＳ３に応答して透過モードを選択する前記第１モード選択信号ＦＭＳを出力し、前記第４感知信号ＳＳ４に応答して前記反射モードを選択する前記第２モード選択信号ＳＭＳを出力する。
前記第２駆動部４００は、前記モード転換部７００から提供される前記第１モード選択信号ＦＭＳ又は第２モード選択信号ＳＭＳのいずれか一つを受信して、前記表示部３００を前記透過モードと反射モードのいずれか一つで駆動させる。
【００１８】
図５は、反射電圧と透過電圧による透過率及び反射率の変化を示すグラフである。図５に提示された第１グラフ（ＴＧ）は透過率の変化を示し、第２グラフ（ＲＧ）は反射率の変化を示す。
図５を参照すると、透過領域ＴＡ（図３に図示）に具備された液晶層３３０（図３に図示）に約４.２Ｖが印加される時、液晶表示装置１０００は最大の透過率（約４０％）を示した。一方、前記反射領域ＲＡ（図３に図示）に具備された液晶層３３０に約２.６Ｖが印加される時、前記液晶表示装置１０００は最大の反射率（約３８％）を示した。
【００１９】
このように最大透過率を示す透過電圧と、最大反射率を示す反射電圧が互いに異なるので、前記反射領域ＲＡに具備された液晶層３３０と前記透過領域ＴＡに具備された液晶層３３０に互いに異なる電圧を印加することが好ましい。即ち、最大の透過率を示す約４.２Ｖを前記透過領域ＴＡに具備された液晶層３３０に印加し、前記４.２Ｖより小さい２.６Ｖを前記反射領域ＲＡに具備された液晶層３３０に印加する。従って、前記液晶表示装置１０００の透過率及び反射率を最大に確保することができる。
【００２０】
図６は、図１に図示された第２駆動部を具体的に示したブロック図であり、図７及び図８は、それぞれ第１ガンマ回路部（階調電圧発生部）４３０と第２ガンマ回路部（階調電圧発生部）４４０を示す図であり、図９は、図６に図示されたデータ駆動部４２０に内蔵された階調抵抗部４２１の一部を示す図である。
図６を参照すると、第２駆動部４００は、ゲート駆動部４１０、データ駆動部４２０、第１ガンマ回路部４３０、第２ガンマ回路部４４０、第１共通電圧発生部４５０、及び第２共通電圧発生部４６０を含む。
【００２１】
前記データ駆動部４２０には、図９に示すように、階調抵抗部４２１が内蔵される。前記階調抵抗部４２１は、多数の階調抵抗が直列に接続された構造で形成される。例えば、前記液晶表示装置１０００が２５６（＝２８）階調で画像を表現すると、前記階調抵抗部４２１は、直列に接続された２５６個の階調抵抗を具備する。
図９に示すように、前記階調抵抗部４２１の一端には、電源電圧ＶＤＤが印加され、他の一端には接地電圧ＧＮＤが印加される。電圧分配法則によって各階調抵抗の接続部位は、互いに異なる電位を有し、前記階調抵抗部４７０のこのような接続部位の電位は、第１〜第２５６階調電圧ＶＧ０〜ＶＧ２５５になる。
【００２２】
前記第１ガンマ回路部４３０は、図７に示すように、８個の透過抵抗ＲＴ１〜ＲＴ８が直列に接続された構造で形成される。前記透過抵抗ＲＴ１〜ＲＴ８は、図５に示した透過モードの透過率を最適化できる抵抗値を有する。
前記第１ガンマ回路部４３０は、モード転換部７００（図４に図示）から提供される前記第１モード選択信号ＦＭＳに応答して、前記透過抵抗ＲＴ１〜ＲＴ８の接続部位での電位を透過ガンマＴＧＭ１〜ＴＧＭ８として出力する。前記透過ガンマＴＧＭ１〜ＴＧＭ８は、前記階調抵抗部４２１に提供され、前記階調抵抗部４２１は、前記透過ガンマＴＧＭ１〜ＴＧＭ８に応答して、所望する透過階調電圧ＶＴを出力する。これにより、前記表示部３００は、前記透過モードで動作することができる。
【００２３】
前記第２ガンマ回路部４４０は、図８に示すように、８個の反射抵抗ＲＲ１〜ＲＲ８が直列に接続された構造で形成される。前記反射抵抗ＲＲ１〜ＲＲ８は、図５に示した反射モードの反射率を最適化することができる抵抗値を有する。
前記第２ガンマ回路部４４０は、前記モード転換部７００から提供される前記第２モード選択信号ＳＭＳに応答して、前記反射抵抗ＲＲ１〜ＲＲ８の接続部位での電位を反射ガンマＲＧＭ１〜ＲＧＭ８として出力する。前記反射ガンマＲＧＭ１〜ＲＧＭ８は、前記階調抵抗部４２１に提供され、前記階調抵抗部４２１は、前記反射ガンマＲＧＭ１〜ＲＧＭ８に応答して所望の反射階調電圧ＶＲを出力する。これにより、前記表示部３００は、反射モードで動作することができる。
【００２４】
前記第１共通電圧発生部４５０は、前記モード転換部７００から提供される前記第１モード選択信号ＦＭＳに応答して、外部から提供される電源電圧Ｖｐを透過モードに最適化された透過共通電圧ＶＴｃｏｍに変換した後に出力する。前記第２共通電圧発生部４６０は、前記モード転換部７００から提供される前記第２モード選択信号ＳＭＳに応答して、前記電源電圧Ｖｐを反射モードに最適化された反射共通電圧ＶＲｃｏｍに変換した後に出力する。
前記ゲート駆動部４１０は、外部からの各種制御信号ＣＳに応答してゲート駆動電圧Ｖｇを出力する。
【００２５】
本発明の他の実施例による液晶表示装置１１００は、外部光Ｌ２の光量によって前記光発生部１００をターンオン又はターンオフさせると共に、それに対応して前記表示部３００の動作モードを変換することができる。
即ち、前記外部光Ｌ２の光量が基準値より小さいと、前記光発生部１００をターンオンさせながら前記表示部３００を前記透過モードで動作させる。又、前記外部光Ｌ２の光量が基準値より大きいと、前記光発生部１００をターンオフさせながら前記表示部３００を前記反射モードで動作させる。
【００２６】
図１０〜図１２は、図１に図示された液晶表示装置の多様な構成例を示す断面図である。但し、図１０に図示された液晶表示装置１１００は、図３に図示された表示部を採用するので、前記表示部についての具体的な説明は省略する。
図１０を参照すると、液晶表示装置１１００は、内部光Ｌ１を発生する光発生部１００及び前記内部光Ｌ１又は外部から提供される外部光Ｌ２を用いて画像を表示する表示部３００を含む。ここで、前記光発生部１００は、前記表示部３００の外部に配置される。
【００２７】
前記光発生部１００は、前記内部光Ｌ１を発生するランプ１１０及び前記内部光Ｌ１を前記表示部３００側にガイドする導光板１２０を含む。
前記ランプ１１０は、多数の発光ダイオード（ＬＥＤ）で構成され、前記導光板１２０は、四角プレート形状を有し、一側面には前記ランプ１１０が具備される。前記導光板１２０は、前記一側面を通じて前記内部光Ｌ１の入射を受けて、前記内部光Ｌ１が前記表示部１００側に出射されるようにガイドする。
【００２８】
前記導光板１２０の下部には、前記導光板１２０から漏洩された光を前記表示部３００側に反射する反射板１４０が具備され、上部には前記導光板１２０から出射された光の輝度及び視野角を向上させる光学シート類１３０が具備される。
一方、前記表示部３００は、上部基板３２０、前記上部基板３２０と向かい合う下部基板３１０、及び前記上部基板３２０と下部基板３１０との間に介在される液晶層（図示せず）で構成される。
【００２９】
図３に示すように、前記下部基板３１０は、反射領域ＲＡと透過領域ＴＡで構成される。これにより、前記表示部３００は、前記光発生部１００から提供される前記内部光Ｌ１を透過させることにより画像を表示する透過モードで動作するか、外部から提供される前記外部光Ｌ２を反射させることにより画像を表示する反射モードで動作する。
【００３０】
この際、前記液晶表示装置１１００は、外部から提供される前記外部光Ｌ２の光量に応じて前記光発生部１００をターンオン又はターンオフさせる。又、前記表示部３００は、前記光発生部１００がオン又はオフされることに連動して前記透過モード又は反射モードで動作する。従って、前記液晶表示装置１１００の全体的な輝度を低下させず、前記光発生部１００を駆動するために消費される電力を節減することができる。
【００３１】
図１１を参照すると、液晶表示装置１２００は、内部光Ｌ１を発生する光発生部１００、前記内部光Ｌ１、又は外部から提供される外部光Ｌ２を用いて画像を表示する表示部３０１及び前記内部光Ｌ１を透過させながら前記外部光Ｌ２を反射させる半透過フィルム３５０を含む。
前記表示部３０１は、上部基板３２０、前記上部基板３２０と向かい合う下部基板３１０、及び前記上部基板３２０と下部基板３１０との間に介在される液晶層（図示せず）で構成される。前記表示部３０１は、前記下部基板３１０に反射電極を除いた透過電極のみを具備する透過型表示部である。
【００３２】
前記半透過フィルム３５０は、前記表示部３０１と前記光発生部１００との間に具備され、前記光発生部１００から出力された前記内部光Ｌ１を透過させ、前記外部から提供された前記外部光Ｌ２を反射させる。
従って、前記表示部３００は、前記半透過フィルム３５０を通過した前記内部光Ｌ１を用いて画像を表示する透過モードで動作するか、前記半透過フィルム３５０により反射された前記外部光Ｌ２を用いて画像を表示する反射モードで動作する。
この際、前記液晶表示装置１２００は、外部から提供される前記外部光Ｌ２の光量により前記光発生部１００をターンオン又はターンオフさせる。前記液晶表示装置１２００の全体的な輝度を低下させず、前記光発生部１００を駆動するために消費される電力を節減することができる。
【００３３】
図１２を参照すると、液晶表示装置１３００は、内部光Ｌ１を発生する光発生部１０２及び前記内部光Ｌ１及び外部から提供される外部光Ｌ２を用いて画像を表示する表示部３０２を含む。
前記表示部３０２は、透過電極を除いた反射電極のみで構成された反射型表示部である。従って、前記表示部３０２は、前記外部光Ｌ２を反射して画像を表示する反射モードで動作する。
【００３４】
前記光発生部１０２は、前記表示部３０２の上部に具備され、前記表示部３０２に提供される前記外部光Ｌ２の光量が基準値より小さい場合にターンオンされ前記表示部３０２の全体的な輝度が低下しないように補償する。一方、前記光発生部１０２は、前記外部光Ｌ２の光量が前記基準値より大きい場合にターンオフされる。
この際、前記外部光Ｌ２の光量を前記内部光Ｌ１の光量と区別して測定するためには、前記光発生部１０２から出力される前記内部光Ｌ１の光量に連動して前記外部光Ｌ２の光量を測定することが好ましい。即ち、前記外部光Ｌ２の光量を感知するための光感知部（図示せず）が前記表示部３０２内に内蔵された場合、前記光感知部は前記内部光Ｌ１と外部光Ｌ２を共に受信することになる。前記内部光Ｌ２の光量は、予め定まったものなので、前記光感知部で感知された光量から前記内部光Ｌ１の光量を引いた値が前記外部光Ｌ２の光量である。
【００３５】
従って、前記液晶表示装置１３００の全体的な輝度を低下させず、前記光発生部１０２を駆動するために消費される電力を節減させることができる。
【産業上の利用可能性】
【００３６】
このような表示装置及びその駆動方法によると、感知部は外部から表示部に入射される外部光の光量に対応して感知信号を出力して、第１駆動部は感知信号に応答して表示部に内部光を提供する光発生部をオン又はオフさせる。
従って、外部光の光量が基準値より大きいと、光発生部をオフさせて表示部は外部光で画像を表示し、外部光の光量が基準値より小さいと、光発生部をオンさせて表示部は内部光で画像を表示する。これにより、表示装置の全体的な輝度を低下させず、消費電力を節減することができる。
【００３７】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００３８】
【図１】本発明の一実施例による液晶表示装置のブロック図である。
【図２】図１に図示された表示部を具体的に示す平面図である。
【図３】図２に図示された表示部の断面図である。
【図４】本発明の他の実施例による表示装置を示すブロック図である。
【図５】反射電圧と透過電圧による透過率及び反射率の変化を示すグラフである。
【図６】図１に図示された第２駆動部を具体的に示すブロック図である。
【図７】図６に図示された第１ガンマ回路部を示す図である。
【図８】図６に図示された第２ガンマ回路部を示す図である。
【図９】図６に図示されたデータ駆動部に内蔵された階調抵抗部の一部を示す図である。
【図１０】図１に図示された液晶表示装置の一構成例を示す断面図である。
【図１１】図１に図示された液晶表示装置の他の構成例を示す断面図である。
【図１２】図１に図示された液晶表示装置のさらに他の構成例を示す断面図である。
【符号の説明】
【００３９】
１００    光発生部
２００    第１駆動部
３００    表示部
４００    第２駆動部
４１０    ゲート駆動部
４２０    データ駆動部
４３０    第１ガンマ回路部
４４０    第２ガンマ回路部
５００    光感知部
６００    信号伝送部
７００    モード変換部
１０００、１１００、１２００、１３００    液晶表示装置
【図１】
2005148735.tif 000003
【図２】
2005148735.tif 000004
【図３】
2005148735.tif 000005
【図４】
2005148735.tif 000006
【図５】
2005148735.tif 000007
【図６】
2005148735.tif 000008
【図７】
2005148735.tif 000009
【図８】
2005148735.tif 000010
【図９】
2005148735.tif 000011
【図１０】
2005148735.tif 000012
【図１１】
2005148735.tif 000013
【図１２】
2005148735.tif 000014